(57)【要約】【課題】本明細書は、走行用モータに供給する電力を制御する電力制御ユニットの車載構造において、車両衝突時に電力制御ユニットの後方上部のコネクタを保護する技術を提供する。【解決手段】電力制御ユニット（ＰＣＵ５）は、フロントコンパートメント９０にて、走行用モータ８を収容しているトランスアクスル３０の上に固定されている。ＰＣＵ５の後方上部に低電圧コネクタ２３が設けられており、その後方にカウルパネル４４が配置されている。ＰＣＵ５の低電圧コネクタ２３の両側に、低電圧コネクタ２３よりも車両後方へ延びているプロテクタ５１、５２が設けられている。車両が衝突してＰＣＵ５が後退したとき、プロテクタ５１、５２がカウルパネル４４を後方へ押し退け、低電圧コネクタ２３を保護する。【選択図】図４
2018111420.tif 000002
【特許請求の範囲】
【請求項１】
走行用モータに供給する電力を制御する電力制御ユニットの車載構造であり、
前記電力制御ユニットは、車両の前部空間にて、前記走行用モータを収容しているハウジングの上に固定されており、
前記電力制御ユニットの後方上部にコネクタと当該コネクタを保護する一対のプロテクタが設けられており、
前記一対のプロテクタは、前記コネクタの車幅方向の両側で前記コネクタよりも後方へ延びており、
前記一対のプロテクタの一方は、
前記電力制御ユニットの車幅方向を向く筐体側面に２個のボルトで固定されているとともに、前記筐体側面に設けられた突起の後面と当接しており、
車幅方向からみたときに、一方の前記ボルトの締結箇所は他方の前記ボルトよりも前上方に位置しており、前記突起の位置は前記一方のボルトよりも前上方に位置しており、
前記一対のプロテクタの前記一方から後方へ、ワイヤハーネスを締結するリブが延びている、電力制御ユニットの車載構造。
【発明の詳細な説明】
【技術分野】
【０００１】
本明細書は、走行用モータに供給する電力を制御する電力制御ユニットの車載構造を開示する。
【背景技術】
【０００２】
走行用モータを備える電気自動車の多くは、走行用モータと、走行用モータに供給する電力を制御する電力制御ユニットを車両前部空間に搭載している。走行用モータへの供給電力の転送損失を小さくするため、電力制御ユニットは、走行用モータを収容するハウジングの上に固定される（例えば、特許文献１、２）。特許文献１、２に開示された電力制御ユニットは、その後方上部にコネクタが設けられている。
【先行技術文献】
【特許文献】
【０００３】
【特許文献１】特開２０１５−１３３８０３号公報
【特許文献２】特開２０１２−０９５４８２号公報
【発明の概要】
【発明が解決しようとする課題】
【０００４】
車両前部空間に搭載されている電力制御ユニットは、車両の前方衝突の際、衝撃で後退する可能性がある。電力制御ユニットが後退すると、電力制御ユニットの後方に位置する他のデバイスや部品と干渉し、電力制御ユニットの後方上部のコネクタがダメージを受ける可能性がある。一方、電力制御ユニットは、衝突時に高電圧のコンデンサを放電する放電回路を備えており、コネクタを通じて外部から放電指令を受信してコンデンサを放電する。衝突時にコネクタがダメージを受けると放電指令が放電回路に達せずコンデンサの放電が行われなくなるおそれがある。
【０００５】
そのような課題に対して本願の出願人は、以下の車載構造を提案した（特願２０１６−１５２９５０号、平成２８年８月３日出願、本願出願時は未公開）。その車載構造は、車両の前方衝突時に電力制御ユニットの後方上部のコネクタを、後方のデバイス（あるいは部品）との干渉から保護する。その車載構造では、電力制御ユニットは、車両の前部空間にて、走行用モータを収容しているハウジングの上に固定されている。電力制御ユニットの後方上部にコネクタとそのコネクタを保護する一対のプロテクタが設けられている。一対のプロテクタは、コネクタの車幅方向の両側でコネクタよりも後方へ延びている。上記の車載構造によれば、衝突の衝撃で電力制御ユニットが後退したとき、コネクタの両側のプロテクタが電力制御ユニットの後方のデバイス（あるいは部品）と先に衝突してそれを押し退け、コネクタを保護する。本明細書は、本願出願人が提案した上記車載構造の改良版を開示する。
【課題を解決するための手段】
【０００６】
本明細書が開示する車載構造では、先に述べたように、一対のプロテクタは、コネクタの車幅方向の両側でコネクタよりも後方へ延びている。一対のプロテクタの一方は、電力制御ユニットの車幅方向を向く筐体側面に２個のボルトで固定されているとともに、筐体側面に設けられた突起の後面と当接している。そして、車幅方向からみたときに、一方のボルト（第２ボルト）の締結箇所は他方のボルト（第１ボルト）の締結箇所よりも前上方に位置している。突起の位置は一方のボルト（第２ボルト）の締結箇所よりも前上方に位置している。一対のプロテクタの一方から後方へ、ワイヤハーネスを締結するリブが延びている。この車載構造によれば、一方のプロテクタは２か所で筐体側面に固定されているとともに１か所で突起と接している。車両衝突時にプロテクタが受ける荷重は合計３か所に分散される。それゆえ、プロテクタはより高い荷重に対して耐えることができる。また、プロテクタは合計３か所で筐体に支持されているので、ワイヤハーネスを締結するリブの振動に対してボルトが緩み難い。本明細書が開示する技術の詳細とさらなる改良は以下の「発明を実施するための形態」にて説明する。
【図面の簡単な説明】
【０００７】
【図１】実施例の車載構造を採用したハイブリッド車の電力系のブロック図である。
【図２】実施例の車載構造を含むハイブリッド車のフロントコンパートメントにおけるデバイス配置を示す斜視図である。
【図３】車載されたＰＣＵ（電力制御ユニット）の平面図である。
【図４】車載されたＰＣＵの側面図である。
【図５】ＰＣＵ後方上部の斜視図である。
【図６】ＰＣＵ後方上部の右側面図である（右プロテクタ周辺の側面図）。
【図７】ＰＣＵ後方上部の左側面図である（左プロテクタ周辺の側面図）。
【発明を実施するための形態】
【０００８】
図面を参照して実施例の車載構造を説明する。実施例の車載構造は、走行用のモータとエンジンを備えるハイブリッド車１００に採用されている。まず、ハイブリッド車１００の電気系を説明する。図１にハイブリッド車１００の電気系のブロック図を示す。図１のブロック図は、本明細書が開示する技術の説明に必要のない一部の部品は図示を省略してあることに留意されたい。
【０００９】
ハイブリッド車１００は、走行用に電気モータ８（走行用モータ８）とエンジン１３を備える。以下では説明を簡単にするため、走行用モータ８を単純にモータ８と表記する。モータ８の出力とエンジン１３の出力は動力分配機構９により合成され車軸１１に出力される。動力分配機構９は、場合によってはエンジン１３の出力トルクを車軸１１とモータ８に分配する。このとき、モータ８は、エンジン１３の出力トルクの一部により発電する。あるいは、モータ８は、車両の減速エネルギを利用して発電する。発電で得られた電力は電力制御ユニット５を介して高電圧バッテリ３の充電に用いられる。エンジン１３の筐体には、エンジンコントローラ１２が取り付けられている。エンジンコントローラ１２は、車両全体の制御を司るＨＶコントローラ６とエンジンワイヤハーネス２８で接続されている。エンジンワイヤハーネス２８は、ＨＶコントローラ６とエンジンコントローラ１２との間で様々な信号を伝達するための通信ケーブルである。
【００１０】
モータ８は、電力制御ユニット５から供給される交流電力で駆動される。電力制御ユニット５は、高電圧バッテリ３の直流電力をモータ８の駆動に適した交流電力に変換してモータ８に供給する。高電圧バッテリ３の出力は、例えば、３００ボルトである。以下では、説明の便宜上、「電力制御ユニット５」を「ＰＣＵ５（Ｐｏｗｅｒ  Ｃｏｎｔｒｏｌ  Ｕｎｉｔ  ５）」と称する。
【００１１】
ＰＣＵ５は、電圧コンバータ回路とインバータ回路を備えている。電圧コンバータ回路は、高電圧バッテリ３の電力をモータ８の駆動に適した電圧まで昇圧する。昇圧後の電圧は例えば６００ボルトである。インバータ回路は、昇圧された直流電力を、モータ８の駆動に適した周波数を有する３相交流電力に変換する。インバータ回路は、モータ８が発電した交流電力を直流電力に変換する機能も有している。電圧コンバータ回路は、インバータ回路で直流変換された電力の電圧を高電圧バッテリ３の電圧まで降圧する機能も有している。即ち、ＰＣＵ５に内蔵されている電圧コンバータ回路は、双方向ＤＣ−ＤＣコンバータである。電圧コンバータ回路とインバータ回路についての詳しい説明は省略する。
【００１２】
ＰＣＵ５には、高電圧バッテリ３の電流を平滑化するコンデンサ１６が備えられている。さらに、ＰＣＵ５には、車両衝突時にコンデンサ１６を放電する放電回路１７が備えられている。放電回路１７は、例えば放電抵抗である。あるいは、先に述べた昇圧コンバータ回路やインバータ回路が放電回路として利用される場合もある。
【００１３】
コンデンサ１６には高電圧バッテリ３の電圧が印加されており、衝突の際に放電回路１７がコンデンサ１６を放電することでＰＣＵ５の安全性が確保される。ＨＶコントローラ６からＰＣＵ５へ、放電回路１７を起動してコンデンサ１６を放電させる放電指令が伝達される。ＨＶコントローラ６は、エアバックコントローラ１８から、車両が衝突したことを示す信号を受け取ると、ＰＣＵ５へ放電指令を送信する。同時にＨＶコントローラ６は、高電圧バッテリ３とＰＣＵ５を電気的に接続しているシステムメインリレー４を開放する。システムメインリレー４が開放されると、ＰＣＵ５が高電圧バッテリ３から遮断され、コンデンサ１６への電力供給が止まり、コンデンサ１６の放電が可能になる。なお、エアバックコントローラ１８は、衝突を検知する加速度センサを備えており、加速度センサが所定の大きさ以上の加速度を検知すると、車両が衝突したことを示す信号をＨＶコントローラ６へ送信する。
【００１４】
高電圧バッテリ３とＰＣＵ５は、高電圧電力線２４で接続されている。高電圧電力線２４の一端は、ＰＣＵ５に設けられた高電圧コネクタ２１に接続されている。即ち、高電圧電力線２４と高電圧コネクタ２１が、高電圧バッテリ３の電力をＰＣＵ５に供給する。高電圧電力線２４の途中には、システムメインリレー４が備えられている。
【００１５】
ＰＣＵ５には、低電圧で駆動する制御回路も収容されている。ここで、低電圧とは、上記した高電圧バッテリ３の出力電圧よりも低い電圧である。その制御回路へ電力を供給するために、ＰＣＵ５は、補機バッテリ７とも接続されている。補機バッテリ７の出力電圧は、高電圧バッテリ３の出力電圧よりも低く、例えば１２ボルトである。ＰＣＵ５と補機バッテリ７は、補機共通電力線１４と低電圧電力線２６を介してＰＣＵ５と接続されている。低電圧電力線２６の一端は、ＰＣＵ５に設けられている低電圧コネクタ２３に接続されている。補機共通電力線１４は、車内に張り巡らされている電力線であり、様々な補機に電力を供給する。「補機」とは、低電圧で駆動するデバイス群の総称である。補機の一例は、カーナビゲーション装置１５である。ＰＣＵ５に実装されている、低電圧で動作する制御回路も「補機」に属する。
【００１６】
低電圧コネクタ２３には、低電圧電力線２６のほか、ＰＣＵワイヤハーネス２７が接続されている。ＰＣＵワイヤハーネス２７は、ＰＣＵ５とＨＶコントローラ６の間で様々な信号をやり取りするための通信ケーブルである。先に述べた放電指令も、ＰＣＵワイヤハーネス２７を通じてＨＶコントローラ６からＰＣＵ５へ伝達される。車両が衝突した際、ＨＶコントローラ６がＰＣＵ５へ放電指令を送信する前に低電圧コネクタ２３がダメージを受けると、ＰＣＵ５は放電指令を適切に受信できず、コンデンサ１６の放電が実施されないおそれがある。ハイブリッド車１００は、正面衝突の際に低電圧コネクタ２３がダメージを受け難い構造を備えている。次に、ＰＣＵ５の車載構造２を説明する。
【００１７】
図２から図４を参照してＰＣＵ５の車載構造２を説明する。図２はハイブリッド車１００のフロントコンパートメント９０におけるデバイスレイアウトを示す斜視図である。図３は、フロントコンパートメント９０にて車載されたＰＣＵ５の平面図である。図４は、フロントコンパートメント９０にて車載されたＰＣＵ５の側面図である。図３の平面図は、ＰＣＵ５とその周辺のみを描いてある。図４の符号４３はフロントコンパートメント９０を覆うフードを示している。図２と図３では、フード４３の図示を省略してある。
【００１８】
図中の座標系について説明する。座標系のＦ軸が車両前方を示し、Ｈ軸が車幅方向を示し、Ｖ軸が車両上方を示している。以下、本明細書における「前」とは車両前後方向の「前」を意味し、「後」とは車両前後方向の「後」を意味する。フロントコンパートメント９０は、車両前部空間に相当する。
【００１９】
フロントコンパートメント９０には、エンジン１３、トランスアクスル３０（モータ８）、ＰＣＵ５、補機バッテリ７が格納されている。なお、フロントコンパートメント９０には、他にも様々な部品が格納されているが、ここでは、上記した部品以外は説明を割愛する。トランスアクスル３０には、走行用のモータ８と、動力分配機構９と、デファレンシャルギアが収容されている。即ち、トランスアクスル３０は、走行用のモータ８を収容するハウジングでもある。トランスアクスル３０はエンジン１３と車幅方向で連結されている。エンジン１３の出力トルクとモータ８の出力トルクはトランスアクスル３０の中の動力分配機構９にて合成され、デファレンシャルギアを介して車軸１１へ伝達される。
【００２０】
エンジン１３とトランスアクスル３０は、フロントコンパートメント９０の下方で車両前後方向に延びる２本のサイドメンバ９２の間に懸架されている。なお、図２では一方のサイドメンバは隠れて見えない。トランスアクスル３０の上にＰＣＵ５が固定されている。
【００２１】
ＰＣＵ５は、トランスアクスル３０に固定されている。より詳しくは、ＰＣＵ５は、フロントブラケット３１とリアブラケット３２により、トランスアクスル３０の上方に固定されている。図４に示されているように、トランスアクスル３０の上面とＰＣＵ５との間には隙間が確保されている。即ち、ＰＣＵ５は、直接にはトランスアクスル３０に触れておらず、フロントブラケット３１とリアブラケット３２を介してトランスアクスル３０に支持されている。これは、エンジン１３の振動やモータ８の振動からＰＣＵ５を保護するためである。なお、図示は省略しているが、フロントブラケット３１とＰＣＵ５の間、及び、リアブラケット３２とＰＣＵ５の間には防振ブッシュが組み込まれている。ＰＣＵ５は、フロントブラケット３１とリアブラケット３２により支持されているため、車両衝突の際に前方から衝突荷重を受けると後退する場合がある。
【００２２】
ＰＣＵ５の後方上部（上面後方）には低電圧コネクタ２３が設けられている。低電圧コネクタ２３は、補機バッテリ７に接続されている低電圧電力線２６と、ＨＶコントローラ６に接続されているＰＣＵワイヤハーネス２７をＰＣＵ５に接続するコネクタである。
【００２３】
図４に示されているように、ＰＣＵ５の後面には高電圧コネクタ２１が設けられている。高電圧コネクタ２１は、図１で示した高電圧バッテリ３と接続されている高電圧電力線２４をＰＣＵ５に接続するコネクタである。なお、図３では、高電圧コネクタ２１と高電圧電力線２４の図示は省略した。
【００２４】
フロントコンパートメント９０の車両後方側には、金属製のカウルパネル４４が配置されている。カウルパネル４４は、フロントコンパートメント９０と車室を区画するダッシュパネル４８に連結されている。カウルパネル４４は、車幅方向に延びており、図４に示されているように、車両前後方向（図中のＦ軸方向）と車両上下方向（図中のＶ軸方向）に拡がる平面でカットした断面は、上に開いている湾曲形状を成している。「上に開いている湾曲形状」とは、別言すれば、下に向けて凸となるように湾曲していることである。カウルパネル４４の後縁はフロントガラス４６の下縁と接しており、その前縁はフロントコンパートメント９０を覆うフード４３が接している（図４参照）。
【００２５】
上に開いているカウルパネル４４の上方は樹脂製のカウルトップパネル４５で覆われている。また、カウルパネル４４の上方に（湾曲の内側）にワイパーピボット３４が配置されている。ワイパーピボット３４は、ピボットホルダ４９で支持されている。そのピボットホルダ４９は、カウルパネル４４に固定されている。ワイパーピボット３４は、カウルトップパネル４５を貫通しており、その一部が露出している。ワイパーピボット３４は、ワイパーアームの回転軸となる部品である。図３では、ワイパーピボット３４とワイパーアームの図示を省略し、図４ではワイパーアームの図示を省略した。
【００２６】
図４に示されているように、低電圧コネクタ２３の後方にカウルパネル４４が位置している。正面衝突の衝撃でＰＣＵ５が後方へ後退すると、低電圧コネクタ２３が金属製のカウルパネル４４と接触する可能性がある。カウルパネル４４との接触で低電圧コネクタ２３がダメージを受けると、ＰＣＵワイヤハーネス２７を通じてＨＶコントローラ６から送られる放電指令がＰＣＵ５の内部の放電回路１７に伝達されなくなるおそれがある。そこで、ＰＣＵ５は、ＰＣＵ５が後退したときの低電圧コネクタ２３のダメージを抑えるべく、低電圧コネクタ２３の両側に一対のプロテクタ５１、５２を備える。なお、図４では、低電圧コネクタ２３の一部であって、左プロテクタ５２で隠れて見えない部分を破線で描いてある。
【００２７】
一対のプロテクタ５１、５２は、鉄板を折り曲げて作られている。一対のプロテクタ５１、５２は、ＰＣＵ５の後方上部に固定されている。図３の破線ＨＬは、低電圧コネクタ２３の後端を車幅方向に延長した線である。一対のプロテクタ５１、５２は、低電圧コネクタ２３の車幅方向の両側に配置されており、低電圧コネクタ２３の後端よりも後方へ延びている。従って、ＰＣＵ５が後退したとき、低電圧コネクタ２３よりも先に、左右のプロテクタ５１、５２の後端がカウルパネル４４と接触する。ＰＣＵ５が後退すると、一対のプロテクタ５１、５２がカウルパネル４４を後方へ押し退け、カウルパネル４４が低電圧コネクタ２３と接触することを防止する。なお、ＰＣＵ５が後退して一対のプロテクタ５１、５２がカウルパネル４４に接触したときに低電圧コネクタ２３とカウルパネル４４の間にＰＣＵワイヤハーネス２７と低電圧電力線２６が通るだけの隙間が確保されるように、一対のプロテクタ５１、５２の後端位置が定められている。
【００２８】
図２−図４は、理解を助けるため、低電圧コネクタ２３や一対のプロテクタ５１、５２を模式的に描いてあった。図５−図７を参照して、一対のプロテクタ５１、５２のより詳細な構造を説明する。図５−図７は、一対のプロテクタ５１、５２のより具体的な形状を示している。なお、図５−図７では、低電圧コネクタ２３からＰＣＵワイヤハーネス２７と低電圧電力線２６は外してある。
【００２９】
右プロテクタ５１と左プロテクタ５２は、鉄板を曲げて作られている。図６に、ＰＣＵ５を車幅方向からみたときの右プロテクタ５１の周辺を示す。図６に示すように、右プロテクタ５１は、ＰＣＵ５の車幅方向（図中のＨ軸の方向）を向く筐体側面５ａに、２個のボルト（第１ボルト５３ａ、第２ボルト５３ｂ）で固定されている。図６の符号１０５は、ＰＣＵ５の筐体側面５ａに設けられた突起を示している。右プロテクタ５１は、その一部が突起１０５の上面１０５ａと後面１０５ｂに当接するように固定されている。車幅方向からみたときに、第２ボルト５３ｂの締結箇所は第１ボルト５３ａよりも前上方に位置しており、突起１０５の位置は第２ボルト５３ｂよりも前上方に位置している。右プロテクタ５１は２か所で筐体側面５ａに固定されているとともに一か所で突起１０５と接している。車両衝突時にＰＣＵ５が後退して右プロテクタ５１がカウルパネル４４と衝突した際、右プロテクタ５１が受ける荷重は合計３か所に分散される。それゆえ、右プロテクタ５１はより高い荷重に対して耐えることができる。
【００３０】
また、右プロテクタ５１から後方にリブ１５３が後方へ延びている。リブ１５３には、ワイヤハーネスを締結するための孔１５３ａ、１５３ｂが設けられている。右プロテクタ５１は合計３か所でＰＣＵ５の筐体に支持されているので、ワイヤハーネスを締結するリブ１５３の振動に対して第１、第２ボルト５３ａ、５３ｂが緩み難い。
【００３１】
また、図３に示すように、右プロテクタ５１を固定している第１、第２ボルト５３ａ、５３ｂと突起１０５は、ＰＣＵ５の筐体側面５ａの側の最外側に接する平面（図３の破線ＦＬが示す平面）よりも内側に収まるように配置されている。この配置により、ボルト５３ａ、５３ｂ、及び突起１０５は、ＰＣＵ５の搭載作業時に邪魔にならない。
【００３２】
図５、図７に示すように、左プロテクタ５２は、ＰＣＵ５の側面にボルト５４で固定されている。左プロテクタ５２は、ＰＣＵ５の側面に設けられたフランジ５ｂの上面に当接するように固定されている。ボルト５４による固定点は、フランジ５ｂの下方に位置する。ＰＣＵ５が後退して左プロテクタ５２がカウルパネル４４と衝突した際、左プロテクタ５２は、図７の視点で左回りのモーメントを受ける。そのモーメントの一部をフランジ５ｂが受けることによって、ボルト５４に加わる衝撃を緩和し、左プロテクタ５２がＰＣＵ５から離脱しないようになっている。
【００３３】
衝突の衝撃が大きい場合は、一対のプロテクタ５１、５２が変形する可能性がある。低電圧コネクタ２３の後端から一対のプロテクタ５１、５２の後端までの距離は、一対のプロテクタ５１、５２が変形してもカウルパネル４４が低電圧コネクタ２３との間にＰＣＵワイヤハーネス２７と低電圧電力線２６がつぶれない程度の隙間が確保されるように、設定されている。
【００３４】
以上、説明したように、実施例の車載構造２では、ＰＣＵ５の低電圧コネクタ２３の両側にプロテクタ５１、５２を設けることで、衝突の際にカウルパネル４４との衝突によって低電圧コネクタ２３がダメージを受けることを防止する。
【００３５】
実施例で説明した車載構造２の特徴を以下にまとめる。ＰＣＵ５は、フロントコンパートメント９０にて、走行用モータ８を収容しているハウジング（トランスアクスル３０）の上に固定されている。ＰＣＵ５は、直流電源（高電圧バッテリ３）の電流を平滑化するコンデンサ１６と、コンデンサ１６を放電する放電回路１７を備えている。他のデバイス（ＨＶコントローラ６）からコンデンサ１６を放電させる放電指令を伝達するワイヤハーネス（ＰＣＵワイヤハーネス２７）が、ＰＣＵ５の後方上部に設けられたコネクタ（低電圧コネクタ２３）に接続されている。フロントコンパートメント９０の中にて、低電圧コネクタ２３の後方にカウルパネル４４が配置されている。そして、ＰＣＵ５の後方上部には、低電圧コネクタ２３を保護する一対のプロテクタ５１、５２が設けられている。一対のプロテクタ５１、５２は、低電圧コネクタ２３の両側の位置から、低電圧コネクタ２３よりも車両後方へと延びている。一対のプロテクタ５１、５２は、後方のカウルパネル４４に向けて延びている。
【００３６】
右プロテクタ５１は、車幅方向を向くＰＣＵ５の筐体側面５ａに２本のボルト５３ａ、５３ｂで固定されている。また、右プロテクタ５１は、筐体側面５ａに設けられた突起１０５の上面１０５ａと後面１０５ｂと当接している。第２ボルト５３ｂの締結箇所は、第１ボルト５３ａの締結箇所よりも前上方に位置している。突起１０５は第２ボルト５３ｂの締結箇所よりも前上方に位置している。２本のボルト５３ａ、５３ｂの締結箇所と突起１０５は、車幅方向からみて、概ね、後下方向から前上方へ向かって並んでいる。右プロテクタ５１は後方から荷重を受けると、その荷重が２個の締結箇所と突起１０５との当接箇所に分散される。また、右プロテクタ５１から後方へ、ワイヤハーネスを締結するためのリブ１５３が延びている。右プロテクタ５１は２本のボルト５３ａ、５３ｂでＰＣＵ５の筐体に固定されているとともに、突起１０５に当接しているので、リブ１５３の振動に対してボルト５３ａ、５３ｂが緩み難い。
【００３７】
実施例で説明した技術に関する留意点を述べる。フロントコンパートメント９０が、請求項における「車両前部空間」に相当する。トランスアクスル３０が請求項のハウジングの一例に相当する。本明細書が開示する車載構造は、エンジンを備えない電気自動車に適用することも可能である。その場合、走行用モータを収容するモータハウジングが、請求項の「ハウジング」に相当する。
【００３８】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３９】
２：車載構造
３：高電圧バッテリ
４：システムメインリレー
５：電力制御ユニット（ＰＣＵ）
５ａ：突起
５ｂ：フランジ
６：ＨＶコントローラ
７：補機バッテリ
８：走行用モータ
９：動力分配機構
１１：車軸
１２：エンジンコントローラ
１３：エンジン
１４：補機共通電力線
１５：カーナビゲーション装置
１６：コンデンサ
１７：放電回路
１８：エアバックコントローラ
２１：高電圧コネクタ
２３：低電圧コネクタ
２４：高電圧電力線
２６：低電圧電力線
２７：ＰＣＵワイヤハーネス
２８：エンジンワイヤハーネス
３０：トランスアクスル
３１：フロントブラケット
３２：リアブラケット
３４：ワイパーピボット
４３：フード
４４：カウルパネル
４５：カウルトップパネル
４６：フロントガラス
４８：ダッシュパネル
５１：プロテクタ（右プロテクタ）
５２：プロテクタ（左プロテクタ）
５３、５４：ボルト
９０：フロントコンパートメント
９２：サイドメンバ
１００：ハイブリッド車
１５３：リブ
【図１】
2018111420.tif 000003
【図２】
2018111420.tif 000004
【図３】
2018111420.tif 000005
【図４】
2018111420.tif 000006
【図５】
2018111420.tif 000007
【図６】
2018111420.tif 000008
【図７】
2018111420.tif 000009